(57)【要約】【課題】摺動抵抗抑制と鋳造品質維持を両立すること。【解決手段】金型の湯口を構成し、内部に冷却配管４１が設けられたスプルブッシュ１３と、スプルブッシュ１３に接続して溶湯を供給するプランジャースリーブ１１と、スプルブッシュ１３の位置までプランジャースリーブ１１内を摺動し、溶湯を射出するプランジャーチップ２２と、を備えるダイカスト装置であって、プランジャーチップ２２は、内部に複数の永久磁石３１を円周状に備え、スプルブッシュ１３は、冷却配管４１を挟んで永久磁石３１と反発する、複数のスプルブッシュ側永久磁石４２と、を備える。【選択図】図２
2018111123.tif 000002
【特許請求の範囲】
【請求項１】
金型の湯口を構成し、内部に冷却配管が設けられたスプルブッシュと、
前記スプルブッシュに接続して溶湯を供給するプランジャースリーブと、
前記スプルブッシュの位置まで前記プランジャースリーブ内を摺動し、前記溶湯を射出するプランジャーチップと、を備えるダイカスト装置であって、
前記プランジャーチップは、内部に複数の永久磁石を円周状に備え、
前記スプルブッシュは、前記冷却配管を挟んで前記永久磁石と反発する、複数のスプルブッシュ側永久磁石と、を備える
ダイカスト装置。
【発明の詳細な説明】
【技術分野】
【０００１】
本発明は、ダイカスト装置に関する。
【背景技術】
【０００２】
従来、このような分野の技術として、特開２０１６−０４３３８５号公報がある。この公報に記載されたダイカスト装置には、プランジャースリーブとプランジャーチップとの摺動抵抗を抑制するフローティング機構として、プランジャーロッドをバネで支持するものが記載されている。
【先行技術文献】
【特許文献】
【０００３】
【特許文献１】特開２０１６−０４３３８５号公報
【発明の概要】
【発明が解決しようとする課題】
【０００４】
しかしながら、前述した従来のダイカスト装置では、プランジャーチップそのものをフローティングさせるものではないため摺動抵抗に改善の余地があるが、例えば永久磁石によるフローティング機構をプランジャースリーブとプランジャーチップとに適用してもダイカスト鋳造時の熱により永久磁石の磁力が低下してしまうため、摺動抵抗抑制の効果が小さくなる。ここで、磁力低下抑制のために、プランジャースリーブに冷却配管を設けてしまうと、プランジャースリーブ内で溶湯が凝固して十分な射出が行われず、鋳造品質が低下してしまうおそれがある。
本発明は、プランジャースリーブとプランジャーチップの摺動抵抗の抑制と、鋳造品質の維持を両立するものである。
【課題を解決するための手段】
【０００５】
本発明にかかるダイカスト装置は、金型の湯口を構成し、内部に冷却配管が設けられたスプルブッシュと、前記スプルブッシュに接続して溶湯を供給するプランジャースリーブと、前記スプルブッシュの位置まで前記プランジャースリーブ内を摺動し、前記溶湯を射出するプランジャーチップと、を備えるダイカスト装置であって、前記プランジャーチップは、内部に複数の永久磁石を円周状に備え、前記スプルブッシュは、前記冷却配管を挟んで前記永久磁石と反発する、複数のスプルブッシュ側永久磁石と、を備える。
これにより、冷却配管によりスプルブッシュ側永久磁石の磁力の低下を抑えてプランジャーチップをフローティングさせつつ、冷却配管によるプランジャースリーブ内の溶湯の凝固を抑制できる。
【発明の効果】
【０００６】
これにより、プランジャースリーブとプランジャーチップの摺動抵抗の抑制と、鋳造品質の維持を両立することができる。
【図面の簡単な説明】
【０００７】
【図１】ダイカスト装置の模式図である。
【図２】ダイカスト装置のＡ−Ａ断面図である。
【発明を実施するための形態】
【０００８】
以下、図面を参照して本発明の実施の形態について説明する。図１に示すように、ダイカスト装置１は、溶湯が内部に注ぎ込まれるプランジャースリーブ１１と、先端にプランジャーチップ２２を備え、プランジャースリーブ１１内の溶湯をダイカスト金型（図示せず）に押し込むプランジャー１２と、プランジャースリーブ１１を金型に固定するスプルブッシュ１３と、プランジャー１２を前進及び後退させる射出シリンダー１４と、を備える。
【０００９】
なお以下では、射出シリンダー１４が、プランジャースリーブ１１内の溶湯をダイカスト金型内に押し込む方向を前進方向として説明する。ここでダイカスト装置１は、プランジャースリーブ１１の軸方向が略水平に配置される横型ダイカスト装置である。すなわち、図１において図示しないが、スプルブッシュ１３の右側に金型が配置される。また、溶湯にはアルミニウム溶湯を用いることができるが、これに限られない。
【００１０】
プランジャースリーブ１１は、可動型と固定型とからなるダイカスト金型の固定型に一方の端部を嵌装し、他方の端部付近に上方が開口した注口部１１ａを備えた筒状である。なお、プランジャースリーブ１１の下部には溶湯が溜まることから、上部と下部の温度が異なり、下部が膨張して反った形状となる。なお、プランジャースリーブ１１は、スプルブッシュ１３に接続しており、溶湯を供給する。
【００１１】
プランジャー１２は、プランジャーロッド２１と、プランジャーチップ２２と、を備える。より具体的にはプランジャー１２は、プランジャーロッド２１の先端部において、プランジャースリーブ１１の内径に概ね合致した外形の略円柱状のプランジャーチップ２２が着脱自在に取り付けられている。また、プランジャーチップ２２は、プランジャースリーブ１１の内側に配設されている。プランジャーロッド２１の後端部には、射出シリンダー１４がカップリング１５を介して接続されている。なお、プランジャー１２は、溶湯の熱に起因するプランジャースリーブ１１の反りに合わせて、首振り運動を行う。これにより、プランジャーチップ２２は、スプルブッシュ１３の位置までプランジャースリーブ１１内を摺動する。
【００１２】
図２に示すように、複数の永久磁石３１は、プランジャーチップ２２の内部おいて、略水平方向に設けられた中心軸周りの円周状に配置されている。例えば、複数の永久磁石３１は、プランジャースリーブ１１を形成する外周壁面側にＮ極が配置され、プランジャーチップ２２の中心軸側にＳ極が配置されている。
【００１３】
スプルブッシュ１３は、プランジャースリーブ１１の先端部における外周及び先端側に連結された筒状であり、金型に固定されている。すなわち、スプルブッシュ１３は、プランジャースリーブ１１を固定するものであるとともに、プランジャースリーブ１１と金型の間に配置される。スプルブッシュ１３の内部には、プランジャー１２が前進動作を行った際に、プランジャーチップ２２が配置される。すなわちスプルブッシュ１３は、金型の湯口を形成しており、プランジャースリーブ１１に投入された溶湯は、スプルブッシュ１３を通過して、金型に射出される。
【００１４】
図２に示すように、スプルブッシュ１３の内部には、冷却配管４１と、冷却配管４１を挟んで対向するように配置された複数のスプルブッシュ側永久磁石４２と、を備える。
【００１５】
冷却配管４１は、プランジャー１２が前進動作することでスプルブッシュ１３内に配置されたプランジャーチップ２２の外周を囲むように配置されている。
【００１６】
複数のスプルブッシュ側永久磁石４２は、スプルブッシュ１３に設けられた冷却配管４１の外周側であって、略水平方向に延在する中心軸周りの円周上に配置されている。ここで、スプルブッシュ側永久磁石４２は、プランジャーチップ２２に配置された永久磁石３１に対して反発するように配置されている。例えば、スプルブッシュ側永久磁石４２は、スプルブッシュ１３の中心軸方向にＮ極、外周方向にＳ極が配置されている。これにより、プランジャーチップ２２に設けられた永久磁石３１の外周側のＮ極と、スプルブッシュ側永久磁石４２の中央軸側のＮ極と、が反発する力が発生する。
【００１７】
射出シリンダー１４は、カップリング１５を介してプランジャーロッド２１の後端に連結されている。射出シリンダー１４は、プランジャー１２を前後方向に動作させるための動力を発生させる。
【００１８】
ここで、プランジャー１２を動作させ、プランジャースリーブ１１内の溶湯がスプルブッシュ１３を介して金型に射出される際の動作について説明する。
【００１９】
射出シリンダー１４によりプランジャー１２が前後方に動作することで、プランジャースリーブ１１内の溶湯が金型に射出される。このときプランジャーチップ２２は、プランジャースリーブ１１及びスプルブッシュ１３に対して摺動するため、摺動抵抗が発生する。ここで、プランジャースリーブ１１の反りにプランジャーチップ２２がうまく追従できないことのほかに、それぞれの隙間に溶湯の差し込みが発生し、バリとなって摺動抵抗の原因となる。
【００２０】
より具体的には、プランジャーチップ２２は重力の影響により、プランジャースリーブ１１及びスプルブッシュ１３の内側のうち下側を這うように移動するが、溶湯の射出時に鋳造圧力がかかった際に、プランジャーチップ２２の進行方向にある金型側だけでなく、反対側にも鋳造圧がかかる。そのため、プランジャーチップ２２とスプルブッシュ１３の間には溶湯が差し込んでバリになり、摺動抵抗が発生しやすくなる。
【００２１】
ここで、プランジャーチップ２２がスプルブッシュ１３の位置まで前進した状態のときに鋳造圧力がかかるが、ダイカスト装置１では、スプルブッシュ１３に設けられたスプルブッシュ側永久磁石４２と、プランジャーチップ２２内の永久磁石３１が反発する。そのため、プランジャーチップ２２がフローティングした状態になり、摺動抵抗を低減することができる。
【００２２】
さらに、スプルブッシュ側永久磁石４２は、冷却配管４１からの冷却を受けることで、磁力の低下が抑制される。なお、プランジャースリーブ１１には冷却配管を設けず、スプルブッシュ１３に設けられた冷却配管４１を用いてスプルブッシュ側永久磁石４２の冷却を行うため、プランジャースリーブ１１内において冷却による溶湯の凝固の進行を抑制できる。したがって、プランジャーチップ２２の摺動抵抗抑制と鋳造品質維持を両立することができる。
【００２３】
なお、本発明は上記実施の形態に限られたものではなく、趣旨を逸脱しない範囲で適宜変更することが可能である。例えば、上記では永久磁石３１とスプルブッシュ側永久磁石４２について、互いにＮ極の反発を用いるものとして説明したが、互いにＳ極を用いてもよい。また、ダイカスト装置１は横型ダイカスト装置であるものとして説明したが、縦型ダイカスト装置であってもよい。
【符号の説明】
【００２４】
１…ダイカスト装置、１１…プランジャースリーブ、１２…プランジャー、１３…スプルブッシュ、１４…射出シリンダー、１５…カップリング、２１…プランジャーロッド、２２…プランジャーチップ、３１…永久磁石、４１…冷却配管、４２…スプルブッシュ側永久磁石
【図１】
2018111123.tif 000003
【図２】
2018111123.tif 000004